(57)【要約】  長手方向に延びるベース部材１（１Ａ，１Ｂ）と、当該ベース部材に幅方向外方へ突出して形成された基端部（２ＡＢ、２ＢＢ）と当該基端部と一体的に形成され幅方向内方へ湾曲して形成された先端部（２ＡＳ、２ＢＳ）とを有し、幅方向で対向する位置にある先端部同士が互いに当接する綴じ位置と所定距離だけ離間する開放位置との間を移動可能に形成された複数の第１の綴じ部材（２Ａ）と第２の綴じ部材（２Ｂ）とを備えた紙葉類の綴じ具（１０）である。幅方向で対向する位置にある先端部同士が当接して綴じ位置にあるとき、当該先端部と一体的に形成された基端部同士が、長手方向において少なくとも当該基端部の厚さＴＨ分だけ互いに位置ずれして形成されている。
2017042952.tif 000002
【特許請求の範囲】
【請求項１】
長手方向に延びるベース部材と、当該ベース部材に幅方向外方へ突出して形成された基端部と当該基端部と一体的に形成され幅方向内方へ湾曲して形成された先端部とを有し、幅方向で対向する位置にある前記先端部同士が互いに当接する綴じ位置と所定距離だけ離間する開放位置との間を移動可能に形成された複数の第１の綴じ部材と第２の綴じ部材とを備えた紙葉類の綴じ具であって、
幅方向で対向する位置にある前記先端部同士が当接して前記綴じ位置にあるとき、当該先端部と一体的に形成された前記基端部同士が、長手方向において少なくとも当該基端部の厚さ分だけ互いに位置ずれして形成されていることを特徴とする綴じ具。
【請求項２】
請求項１に記載された綴じ具において、
幅方向で対向する位置にある前記第１の綴じ部材の先端部と前記第２の綴じ部材の先端部とが、前記綴じ位置で長手方向に対して所定の角度で傾斜した状態で連結されていることを特徴とする綴じ具。
【請求項３】
請求項２に記載された綴じ具において、
幅方向で対向する位置にある前記第１の綴じ部材の先端部及び前記第２の綴じ部材の先端部は、それぞれ幅方向へ先細り状に延びるように形成され、先細り状に形成された前記両先端部には、長手方向に対して直交する当接面ＴＳが形成されていることを特徴とする綴じ具。
【請求項４】
請求項１乃至請求項３のいずれか１項に記載された綴じ具において、
前記ベース部材は、前記第１の綴じ部材が形成された第１のベース部材と、前記第２の綴じ部材が形成された第２のベース部材とからなり、前記第１のベース部材と前記第２のベース部材とが、前記綴じ位置で長手方向と直交する上下方向で互いに重なり合うように形成されていることを特徴とする綴じ具。
【請求項５】
請求項４に記載された綴じ具において、
前記第１のベース部材及び前記第２のベース部材には、長手方向における中間部と前端部及び／又は後端部とで上下に重なり合う箇所において上下方向に突出する係合部が形成されていることを特徴とする綴じ具。
【請求項６】
請求項４又は請求項５に記載された綴じ具において、
前記第１のベース部材と前記第２のベース部材とが、複数のリンクアーム部材を介して幅方向へ移動可能に連結されていることを特徴とする綴じ具。
【請求項７】
請求項６に記載された綴じ具において、
前記第１のベース部材と前記第２のベース部材とが、長手方向に延びる複数の板状体が上下方向で隙間部を有しつつ積層された多層構造体に形成され、前記綴じ位置では、前記リンクアーム部材が、前記隙間部に収納可能に形成されていることを特徴とする綴じ具。
【請求項８】
請求項７に記載された綴じ具において、
前記リンクアーム部材は、前記綴じ位置にて、前記第１のベース部材による前記隙間部に収納される第１のアーム体と前記第２のベース部材による前記隙間部に収納される第２のアーム体とが、リンク中間部で階段状に連結されていることを特徴とする綴じ具。
【請求項９】
請求項１乃至請求項８のいずれか１項に記載された綴じ具と表表紙と裏表紙とを備えたファイルであって、
前記表表紙及び前記裏表紙には、前記第１の綴じ部材及び前記第２の綴じ部材の前記基端部を長手方向で２個分並列して挿入可能に形成された挿入孔を備えたことを特徴とするファイル。
【請求項１０】
請求項９に記載されたファイルにおいて、
前記背表紙と前記表表紙と前記裏表紙には、前記綴じ具の長手方向の前端部及び／又は後端部を操作可能に形成された操作用切欠き部を備えたことを特徴とするファイル。
【請求項１１】
請求項９又は請求項１０に記載されたファイルにおいて、
前記表表紙と前記裏表紙とを連続させる背表紙を備え、前記ベース部材には、前記背表紙に穿設した係止孔と係合可能に形成された鍔付き係止部を備えたことを特徴とするファイル。
【請求項１２】
請求項９乃至請求項１１のいずれか１項に記載されたファイルにおいて、
前記第１の綴じ部材及び前記第２の綴じ部材は、長手方向の中央側におけるピッチが長手方向の前端側及び後端側におけるピッチより広くなるように形成され、かつ、長手方向の前後で対称に形成されていることを特徴とするファイル。
【発明の詳細な説明】
【技術分野】
【０００１】
本発明は、紙葉類を見開き状態で保持し得る綴じ具、及び当該綴じ具を備えたファイルに関する。
【背景技術】
【０００２】
例えば、特許文献１には、図１７〜図２０に示すように、書類等の紙葉類を見開き状態で保持し得る綴じ具を備えたファイルとして、中間に背表紙１０１を介して連続する表表紙１０２及び裏表紙１０３と、背表紙１０１の内面に取り付けられた綴じ具２００とを備えたファイル１００が開示されている。その綴じ具２００は、背表紙１０１の長手方向に延びるベース部材２０１と、ベース部材２０１の幅方向一端側に幅方向へ回動可能に支持された複数の可動側綴じ部材２０２と、ベース部材２０１の幅方向他端側で各可動側綴じ部材２０２に対応する位置にそれぞれ設けられた複数の固定側綴じ部材２０３と、ベース部材２０１内に保持されたスライド部材２０４とを備えている。【０００３】
また、特許文献２には、図２１に示すように、書類等の紙葉類を見開き状態で保持し得る綴じ具を備えたファイルとして、中間に背表紙３０１を介して連続する表表紙３０２及び裏表紙３０３と、背表紙３０１の内面に取り付けられた綴じ具４００とを備えたファイル３００が開示されている。その綴じ具４００は、背表紙３０１の長手方向に延びるベース部材４０１と、ベース部材４０１にそれぞれ幅方向へ回動可能に支持された複数の第１の綴じ部材４０２と、第２の綴じ部材４０３とを備えている。また、表表紙３０２及び裏表紙３０３には、表表紙３０２と裏表紙３０３とを略平行とする閉塞状態としたときに、第１及び第２の綴じ部材４０２、４０３の一部を受容する長孔３０４が形成されている。
【先行技術文献】
【特許文献】
【０００４】
【特許文献１】特開２００３−２１１８８６号公報
【特許文献２】特開２０１０−２７４５４４号公報
【発明の概要】
【発明が解決しようとする課題】
【０００５】
しかしながら、特許文献１に開示された綴じ具２００は、可動側綴じ部材２０２と固定側綴じ部材２０３とを当接した綴じ位置（図１９を参照）における両者の幅方向外形寸法とベース部材２０１の幅寸法とが略同一であるので、綴じ具２００に保持できる紙葉類の数量（枚数）がベース部材２０１の幅寸法によって制限されてしまうことになる。また、一般に、紙葉類を保持する綴じ具では、綴じ位置での綴じ部材の幅方向外形寸法を、紙葉類の綴じ孔から紙端末までの紙つなぎ寸法等を考慮して、紙葉類をスムーズにページめくりできる程度の余裕代を持って設定することが必要である。【０００６】
そのため、特許文献１の綴じ具２００に保持できる紙葉類の数量を増加させるためには、上記余裕代を考慮しつつ、ベース部材２０１の幅寸法を更に大きくせざるを得ず、その場合、実際に綴じ具２００に保持した紙葉類の数量の大小にかかわらず、ファイル１００を閉じたときにおけるファイル１００の幅方向の厚さが増加してしまう。その結果、綴じ具２００に保持できる紙葉類の枚数（厚さ）を増加させつつ、閉じたときに幅方向でコンパクトなファイルを提供することができなかった。【０００７】
また、特許文献１に開示された綴じ具２００では、ベース部材２０１内に可動側綴じ部材２０２を支持する回転軸２０５が配置され、回転軸２０５とスライド部材２０４との間には、複数のカム式ガイド機構２０６が設けられている。そして、スライド部材２０４を長手方向にスライドさせると、カム式ガイド機構２０６の位置変化に応じて可動側綴じ部材２０２が、綴じ位置（図１９を参照）と開放位置（図２０を参照）との間で回動する構成となっている。【０００８】
そのため、ベース部材２０１内に、回転軸２０５とスライド部材２０４とカム式ガイド機構２０６とを複雑に内蔵することになって、ベース部材２０１の幅寸法が拡張されやすく、綴じ位置で幅方向にコンパクトな綴じ具２００を提供できないという問題もあった。【０００９】
一方、特許文献２に開示された綴じ具４００は、第１の綴じ部材４０２と第２の綴じ部材４０３とを当接した綴じ位置における両者の幅方向外形寸法がベース部材４０１の幅寸法より僅かに大きく形成され、表表紙３０２及び裏表紙３０３には、第１及び第２の綴じ部材４０２、４０３の一部を受容する長孔３０４が形成されているので、綴じ具４００に保持できる紙葉類の数量を増加させつつ、閉じたときに幅方向でコンパクトなファイルを提供することができそうである。【００１０】
しかしながら、上記綴じ具４００は、第１の綴じ部材４０２と第２の綴じ部材４０３とが長手方向と直交する幅方向に一直線状に形成されているので、綴じ具４００に紙葉類を保持させ、背表紙３０１の長手方向を縦にした状態で、複数個のファイル３００を隣同士重ね合わせて書棚等に収納するとき、隣接するファイル３００の第１の綴じ部材４０２と第２の綴じ部材４０３とが幅方向で当接することになり、複数個のファイル３００を隣同士重ね合わせて書棚等に収納する際のファイル収納数が、低下する問題があった。【００１１】
本発明は、上記問題点を解決するためになされたものであり、ベース部材に装着した背表紙の長手方向を縦にした状態で、複数個のファイルを隣同士重ね合わせて書棚等に収納する際のファイル収納数を増加できるとともに、綴じ位置で幅方向にコンパクトな綴じ具及び当該綴じ具を備えたファイルを提供することを目的とする。
【課題を解決するための手段】
【００１２】
（１）上記課題を解決するための本発明の一態様は、長手方向に延びるベース部材と、当該ベース部材に幅方向外方へ突出して形成された基端部と当該基端部と一体的に形成され幅方向内方へ湾曲して形成された先端部とを有し、幅方向で対向する位置にある前記先端部同士が互いに当接する綴じ位置と所定距離だけ離間する開放位置との間を移動可能に形成された複数の第１の綴じ部材と第２の綴じ部材とを備えた紙葉類の綴じ具であって、幅方向で対向する位置にある前記先端部同士が当接して前記綴じ位置にあるとき、当該先端部と一体的に形成された前記基端部同士が、長手方向において少なくとも当該基端部の厚さ分だけ互いに位置ずれして形成されていることを趣旨とする。【００１３】
（２）（１）に記載された綴じ具において、幅方向で対向する位置にある前記第１の綴じ部材の先端部と前記第２の綴じ部材の先端部とが、前記綴じ位置で長手方向に対して所定の角度で傾斜した状態で連結されていることが好ましい。【００１４】
（３）（２）に記載された綴じ具において、幅方向で対向する位置にある前記第１の綴じ部材の先端部及び前記第２の綴じ部材の先端部は、それぞれ幅方向へ先細り状に延びるように形成され、先細り状に形成された前記先端部には、長手方向に対して直交する当接面ＴＳが形成されていることが好ましい。【００１５】
（４）（１）乃至（３）のいずれか１つに記載された綴じ具において、前記ベース部材は、前記第１の綴じ部材が形成された第１のベース部材と、前記第２の綴じ部材が形成された第２のベース部材とからなり、前記第１のベース部材と前記第２のベース部材とが、前記綴じ位置で長手方向と直交する上下方向で互いに重なり合うように形成されていることが好ましい。【００１６】
（５）（４）に記載された綴じ具において、前記第１のベース部材及び前記第２のベース部材には、長手方向における中間部と前端部及び／又は後端部とでそれぞれ上下に重なり合う箇所において、上下方向に突出する係合部が形成されていることが好ましい。【００１７】
（６）（４）又は（５）に記載された綴じ具において、前記第１のベース部材と前記第２のベース部材とが、複数のリンクアーム部材を介して幅方向へ移動可能に連結されていることが好ましい。【００１８】
（７）（６）に記載された綴じ具において、前記第１のベース部材と前記第２のベース部材とが、長手方向に延びる複数の板状体が上下方向で隙間部を有しつつ積層された多層構造体に形成され、前記綴じ位置では、前記リンクアーム部材が、前記隙間部に収納可能に形成されていることが好ましい。【００１９】
（８）（７）に記載された綴じ具において、前記リンクアーム部材は、前記綴じ位置にて、前記第１のベース部材による前記隙間部に収納される第１のアーム体と前記第２のベース部材による前記隙間部に収納される第２のアーム体とが、リンク中間部で階段状に連結されていることが好ましい。【００２０】
（９）上記課題を解決するための本発明の他の態様は、（１）乃至（８）のいずれか１つに記載された綴じ具と表表紙と裏表紙とを備えたファイルであって、前記表表紙及び前記裏表紙には、前記第１の綴じ部材及び前記第２の綴じ部材の前記基端部を長手方向で２個分並列して挿入可能に形成された挿入孔を備えたことを趣旨とする。【００２１】
（１０）（９）に記載されたファイルにおいて、前記背表紙と前記表表紙と前記裏表紙には、綴じ具の長手方向の前端部及び／又は後端部を操作可能に形成された操作用切欠き部を備えたことが好ましい。【００２２】
（１１）（９）又は（１０）に記載されたファイルにおいて、前記表表紙と前記裏表紙とを連続させる背表紙を備え、前記ベース部材には、前記背表紙に穿設した係止孔と係合可能に形成された鍔付き係止部を備えたことが好ましい。【００２３】
（１２）（９）乃至（１１）のいずれか１つに記載されたファイルにおいて、前記第１の綴じ部材及び前記第２の綴じ部材は、長手方向の中央側におけるピッチが長手方向の前端側及び後端側におけるピッチより広くなるように形成され、かつ、長手方向の前後で対称に形成されていることが好ましい。
【発明の効果】
【００２４】
本発明によれば、ベース部材に装着した背表紙の長手方向を縦にした状態で、複数個のファイルを隣同士重ね合わせて書棚等に収納する際のファイル収納数を増加できるとともに、綴じ位置で幅方向にコンパクトな綴じ具及び当該綴じ具を備えたファイルを提供することができる。
【図面の簡単な説明】
【００２５】
【図１】本発明の一態様の実施形態に係る綴じ具の綴じ位置における平面図である。
【図２】図１に示す綴じ具の開放位置における平面図である。
【図３】図１に示すＸ部における綴じ具の斜視図である。
【図４】図２に示すＹ部における綴じ具の斜視図である。
【図５】図１に示す綴じ具における第１の綴じ部材及び第２の綴じ部材の詳細斜視図である。
【図６】図５に示す第１の綴じ部材及び第２の綴じ部材の平面図である。
【図７】図２に示す綴じ具のリンクアーム部材の平面図である。
【図８】図７に示すリンクアーム部材のＥ視側面図である。
【図９】図３に示すＡ−Ａ断面図である。
【図１０】図３に示すＢ−Ｂ断面である。
【図１１】図３に示すＣ−Ｃ断面図である。
【図１２】図３に示すＤ−Ｄ断面図である。
【図１３】本発明の他の態様の実施形態に係るファイルの見開き状態（表表紙と裏表紙を開いた状態）における平面図である。
【図１４】図１３に示すファイルの閉塞状態（表表紙と裏表紙を閉じた状態）における側面図である。
【図１５】図１４に示すＥ−Ｅ断面であって、綴じ具に紙葉類を保持させ、背表紙の長手方向を縦にした状態で、複数個のファイルを隣同士重ね合わせたファイルの断面図である。
【図１６】図１４に示すファイルの紙葉類を表表紙又は裏表紙と一緒に１８０°反転させた状態における断面図である。
【図１７】特許文献１に記載された綴じ具を備えたファイルの斜視図である。
【図１８】図１７に示す綴じ具の部分平面図である。
【図１９】図１７に示す綴じ具の綴じ位置における断面図である。
【図２０】図１７に示す綴じ具の開放位置における断面図である。
【図２１】特許文献２に記載された綴じ具を備えたファイルの斜視図である。
【発明を実施するための形態】
【００２６】
次に、本発明に係る綴じ具及びその綴じ具を備えたファイルの実施形態について、図面を参照して詳細に説明する。はじめに、本発明の一態様の実施形態に係る綴じ具の構造について説明し、次に、本発明の他の態様の実施形態に係る上記綴じ具を備えたファイルの構造について説明する。
【００２７】
＜綴じ具の構造＞
まず、本実施形態に係る綴じ具の構造を、図１〜図１２を用いて説明する。図１に、本発明の一態様の実施形態に係る綴じ具の綴じ位置における平面図を示す。図２に、図１に示す綴じ具の開放位置における平面図を示す。図３に、図１に示すＸ部における綴じ具の斜視図を示す。図４に、図２に示すＹ部における綴じ具の斜視図を示す。図５に、図１に示す綴じ具における第１の綴じ部材及び第２の綴じ部材の詳細斜視図を示す。図６に、図５に示す第１の綴じ部材及び第２の綴じ部材の平面図を示す。図７に、図２に示す綴じ具のリンクアーム部材の平面図を示す。図８に、図７に示すリンクアーム部材のＥ視側面図を示す。図９に、図３に示すＡ−Ａ断面図を示す。図１０に、図３に示すＢ−Ｂ断面を示す。図１１に、図３に示すＣ−Ｃ断面図を示す。図１２に、図３に示すＤ−Ｄ断面図を示す。
【００２８】
図１〜図１２に示すように、本実施形態に係る綴じ具１０は、長手方向に延びるベース部材１（１Ａ、１Ｂ）と、当該ベース部材１（１Ａ、１Ｂ）に幅方向外方へ突出して形成された基端部２ＡＢ、２ＢＢと当該基端部２ＡＢ、２ＢＢと一体的に形成され幅方向内方へ湾曲して形成された先端部２ＡＳ、２ＢＳとを有し、幅方向で対向する位置にある先端部２ＡＳ、２ＢＳ同士が互いに当接する綴じ位置（図１を参照）と所定距離だけ離間する開放位置（図２を参照）との間を移動可能に形成された複数の第１の綴じ部材２Ａ（２Ａ１〜２Ａ１２）と第２の綴じ部材２Ｂ（２Ｂ１〜２Ｂ１２）とを備えた紙葉類の綴じ具である。本綴じ具１０の各部材は、ポリカーボネイト（ＰＣ）やＡＢＳ樹脂等の合成樹脂製であるが、アルミ合金等の金属製でも良い。
【００２９】
なお、第１の綴じ部材２Ａ（２Ａ１〜２Ａ１２）と第２の綴じ部材２Ｂ（２Ｂ１〜２Ｂ１２）とからなる綴じ部材２（２Ａ、２Ｂ）において、綴じ位置では、幅方向で対向する位置にある先端部２ＡＳ、２ＢＳと基端部２ＡＢ、２ＢＢとが、ベース部材１（１Ａ、１Ｂ）を介して連続するループ形状を形成している。ループ形状を形成した状態では、先端部２ＡＳ、２ＢＳと基端部２ＡＢ、２ＢＢとは、ループ形状に沿ってどこを切断しても、略一定の断面形状を備えている。また、先端部２ＡＳ、２ＢＳと基端部２ＡＢ、２ＢＢとがそれぞれ形成するループ形状は、図３に示すように略円環状のループ形状であっても、図５に示すように略角環状のループ形状であってもよい。図１に示すように、第１の綴じ部材２Ａ（２Ａ１〜２Ａ１２）と第２の綴じ部材２Ｂ（２Ｂ１〜２Ｂ１２）は、綴じ具１０における長手方向の前端部から後端部に行く従って、符号の番号が順に大きく記載されている。
【００３０】
また、幅方向で対向する位置にある先端部２ＡＳ、２ＢＳ同士が当接して綴じ位置にあるとき、当該先端部２ＡＳ、２ＢＳと一体的に形成された基端部２ＡＢ、２ＢＢ同士が、長手方向において少なくとも当該基端部の厚さＴＨ分だけ互いに位置ずれして形成されている（図５、図６を参照）。なお、上記基端部２ＡＢ、２ＢＢ同士の位置ずれ量は、理論上は第１の綴じ部材２Ａ及び第２の綴じ部材２Ｂの長手方向における最小のピッチＰ１（図１を参照）以内であれば可能であるが、保持する紙葉類ＳＰの変形等が生じない範囲（例えば、基端部の厚さＴＨの２倍程度まで）が好ましい。
【００３１】
また、第１の綴じ部材２Ａ（２Ａ１〜２Ａ１２）及び第２の綴じ部材２Ｂ（２Ｂ１〜２Ｂ１２）は、長手方向の中央側におけるピッチＰ２が長手方向の前端側及び後端側におけるピッチＰ１より広くなるように形成され、かつ、長手方向の前後で中心線ＣＴに対して略対称に形成されている（図１を参照）。また、図６に示すように、第１の綴じ部材２Ａ（２Ａ１〜２Ａ１２）及び第２の綴じ部材２Ｂ（２Ｂ１〜２Ｂ１２）は、保持する紙葉類に形成された綴じ孔ＷＨと当接する内面２ＡＢＱ、２ＢＢＱが円弧状に形成されている。基端部２ＡＢ、２ＢＢにおける円弧状の内面２ＡＢＱ、２ＢＢＱは、ベース部材１（１Ａ、１Ｂ）の幅方向外端面より外方に位置するように形成されている。
【００３２】
また、幅方向で対向する位置にある第１の綴じ部材２Ａの先端部２ＡＳと第２の綴じ部材２Ｂの先端部２ＢＳとは、綴じ位置で長手方向に対して所定の角度で傾斜した状態で連結（当接）されている。連結（当接）された状態の先端部２ＡＳ、２ＢＳは、長手方向で略一定の厚さを有している。幅方向で対向する位置にある第１の綴じ部材２Ａ及び第２の綴じ部材２Ｂは、綴じ位置で長手方向に対して所定の角度で傾斜した状態で連結される先端部２ＡＳ、２ＢＳによって、その基端部２ＡＢ、２ＢＢ同士の長手方向における上記位置ずれを、第１の綴じ部材２Ａ及び第２の綴じ部材２Ｂの長手方向におけるピッチＰ１、Ｐ２をそれぞれ略一定に維持しながら滑らかに連結することができる。
【００３３】
また、幅方向で対向する位置にある第１の綴じ部材２Ａの先端部２ＡＳ及び第２の綴じ部材２Ｂの先端部２ＢＳは、それぞれ幅方向へ先細り状に延びるように形成されている。先細り状に形成された先端部２ＡＳ、２ＢＳには、長手方向に対して直交する当接面ＴＳが形成されている。これによって、綴じ位置で先端部２ＡＳ、２ＢＳ同士が、当接面ＴＳを介して幅方向にラップする範囲を広く形成することができる。なお、「長手方向に対して直交する当接面ＴＳ」には、長手方向に対して完全に直交する場合の他、直交面に対して５〜１０度程度傾斜している場合も含まれる。
【００３４】
また、ベース部材１（１Ａ、１Ｂ）は、第１の綴じ部材２Ａ（２Ａ１〜２Ａ１２）が形成された第１のベース部材１Ａと、第２の綴じ部材２Ｂ（２Ｂ１〜２Ｂ１２）が形成された第２のベース部材１Ｂとからなり、第１のベース部材１Ａと第２のベース部材１Ｂとが、綴じ位置で長手方向と直交する上下方向で互いに重なり合うように形成されている。また、第１のベース部材１Ａと第２のベース部材１Ｂとが、複数（ここでは、２個）のリンクアーム部材３（３Ａ、３Ｂ）を介して幅方向へ平行移動可能に連結されている。なお、複数（ここでは、２個）のリンクアーム部材３（３Ａ、３Ｂ）の腕の長さは、略同一に形成されている。
【００３５】
具体的には、図３、図４に示すように、第１のベース部材１Ａと第２のベース部材１Ｂとが、それぞれ長手方向に延びる複数（ここでは、２個ずつ）の略板状体１Ａ１、１Ａ２、１Ｂ１、１Ｂ２が上下方向で隙間部１Ａ３、１Ｂ３を有しつつ積層された多層（２層）構造体に形成されている。多層（２層）構造体は、一体成形によって形成しても、別成形したものを一体に接着してもよい。第１のベース部材１Ａにおける隙間部１Ａ３は、上段の板状体１Ａ１と下段の板状体１Ａ２との間に長手方向で複数個形成されている。第２のベース部材１Ｂにおける隙間部１Ｂ３も、上段の板状体１Ｂ１と下段の板状体１Ｂ２との間に長手方向で複数個形成されている。綴じ位置では、リンクアーム部材３（３Ａ、３Ｂ）が、それら隙間部１Ａ３、１Ｂ３に収納可能に形成されている。なお、リンクアーム部材３（３Ａ、３Ｂ）が収納されない第１のベース部材１Ａの隙間部１Ａ３には、第２のベース部材１Ｂの下段の板状体１Ｂ２が収納可能に形成され、リンクアーム部材３（３Ａ、３Ｂ）が収納されない第２のベース部材１Ｂの隙間部１Ｂ３には、第１のベース部材１Ａの下段の板状体１Ａ２が収納可能に形成されている。
【００３６】
また、図７、図８に示すように、リンクアーム部材３（３Ａ、３Ｂ）は、長手方向に延びる略矩形板状の第１のアーム体３２と第２のアーム体３３とがリンク中間部３５で階段状に連結されている。第１のアーム体３２の後端側（図７、図８の左側）には、上方へ突出する回転軸部３１が形成され、第２のアーム体３３の前端側（図７、図８の右側）には、下方へ突出する回転軸部３４が形成されている。第１のアーム体３２と第２のアーム体３３とが、長手方向で平行に配置され、かつ両回転軸部３１、３４を結んだ中心線に対して幅方向で対称に偏心して形成されている。
【００３７】
そして、図９、図１０に示すように、第１のアーム体３２の回転軸部３１は、第１のベース部材１Ａの上段に位置する板状体１Ａ１の幅方向中央部に穿設した軸孔１ＡＰに嵌装され、第２のアーム体３３の回転軸部３４は、第２のベース部材１Ｂの下段に位置する板状体１Ｂ２の幅方向中央部に穿設した軸孔１ＢＰに嵌装されている。そのため、綴じ位置にて、第１のアーム体３２は、第１のベース部材１Ａによる隙間部１Ａ３に収納され、第２のアーム体３３は、第２のベース部材１Ｂによる隙間部１Ｂ３に収納されている。綴じ位置では、リンクアーム部材３（３Ａ、３Ｂ）は、第１のベース部材１Ａ及び第２のベース部材１Ｂの側端面から幅方向外方へ突出していない。
【００３８】
また、図３、図４、図１１、図１２に示すように、第１のベース部材１Ａ及び第２のベース部材１Ｂには、長手方向における中間部と前端部及び後端部とで上下に重なり合う箇所において、上下方向に突出する係合部１Ａ２１、１Ｂ２１、１Ａ２２が形成されている。
【００３９】
具体的には、図１１に示すように、第１のベース部材１Ａ及び第２のベース部材１Ｂの長手方向における中間部（ここでは、３箇所）には、第１のベース部材１Ａの下段の板状体１Ａ２に下方へ突出する係合部１Ａ２１が形成され、第２のベース部材１Ｂの下段の板状体１Ｂ２に上方へ突出する係合部１Ｂ２１が形成され、綴じ位置にて両係合部１Ａ２１、１Ｂ２１が係合されるように形成されている。両係合部１Ａ２１、１Ｂ２１は、第１のベース部材１Ａの下段の板状体１Ａ２を第２のベース部材１Ｂの上段の板状体１Ｂ１と下段の板状体１Ｂ２との間に形成される隙間部１Ｂ３に幅方向から挿入するときに係合される。なお、第１のベース部材１Ａ及び第２のベース部材１Ｂの長手方向における中間部に形成する係合部１Ａ２１、１Ｂ２１は、第１のベース部材１Ａ及び第２のベース部材１Ｂの長手方向の寸法が短い場合（例えば、Ｂ５サイズ以下の小型ノートに適用する場合）には、必ずしも設ける必要はない。
【００４０】
また、図３、図４、図１２に示すように、第１のベース部材１Ａ及び第２のベース部材１Ｂの長手方向における前端部及び後端部では、第２のベース部材１Ｂの上段の板状体１Ｂ１と下段の板状体１Ｂ２とが、長手方向で片持ち梁として形成され、その隙間部１Ｂ３に第１のベース部材１Ａの下段の板状体１Ａ２が挿入可能に形成されている。そして、第１のベース部材１Ａの下段の板状体１Ａ２に形成された下方へ突出する係合部１Ａ２２が、綴じ位置にて第２のベース部材１Ｂの下段の板状体１Ｂ２に形成された切欠き部１Ｂ２２と係合するように形成されている。上記係合部１Ａ２２及び切欠き部１Ｂ２２も、第１のベース部材１Ａの下段の板状体１Ａ２を第２のベース部材１Ｂの上段の板状体１Ｂ１と下段の板状体１Ｂ２との間に形成される隙間部１Ｂ３に幅方向から挿入するときに係合される。なお、係合部１Ａ２２及び切欠き部１Ｂ２２は、第１のベース部材１Ａ及び第２のベース部材１Ｂのいずれに設けてもよく、長手方向における前端部又は後端部のみに設けてもよい。
【００４１】
また、図３、図４に示すように、第１のベース部材１Ａの上段の板状体１Ａ１には、幅方向外方へ突出した基端部２ＡＢが形成され、その板状体１Ａ１の当該基端部２ＡＢと長手方向で後端側に隣接する位置には、幅方向内方へ窪む凹部１Ａ５が形成されている。また、第２のベース部材１Ｂの上段の板状体１Ｂ１には、幅方向外方へ突出した基端部２ＢＢが形成され、その板状体１Ｂ１の当該基端部２ＢＢと長手方向で前端側に隣接する位置には、幅方向内方へ窪む凹部１Ｂ５が形成されている。各凹部１Ａ５、１Ｂ５は、後述するように、綴じ具１０に紙葉類を保持させ、ベース部材１（１Ｂ）に装着した背表紙４Ｃの長手方向を縦にした状態で、複数個のファイル２０を隣同士重ね合わせて書棚等に収納するとき、幅方向に突出した第１の綴じ部材２Ａの基端部２ＡＢと、隣接するファイル２０の第２のベース部材１Ｂの上段の板状体１Ｂ１とが互いに干渉しないよう、また、幅方向に突出した第２の綴じ部材２Ｂの基端部２ＢＢと、隣接するファイル２０の第１のベース部材１Ａの上段の板状体１Ａ１とが互いに干渉しないように形成されている（図１５を参照）。
【００４２】
＜ファイルの構造＞
次に、本発明の他の態様の実施形態に係る、上述した綴じ具を備えたファイルの構造について、図１３〜図１６を用いて説明する。図１３に、本発明の他の態様の実施形態に係るファイルの見開き状態（表表紙と裏表紙を開いた状態）における平面図を示す。図１４に、図１３に示すファイルの閉塞状態（表表紙と裏表紙を閉じた状態）における側面図を示す。図１５に、図１４に示すＥ−Ｅ断面であって、綴じ具に紙葉類を保持させ、背表紙の長手方向を縦にした状態で、複数個のファイルを隣同士重ね合わせたファイルの断面図を示す。図１６に、図１４に示すファイルの紙葉類を表表紙又は裏表紙と一緒に１８０°反転させた状態における断面図を示す。
【００４３】
図１３〜図１６に示すように、本ファイル２０は、上述した綴じ具１０と、当該綴じ具１０を長手方向に装着する背表紙４Ｃと、当該背表紙４Ｃを介して連続する表表紙４Ａと裏表紙４Ｂとを備えている。表表紙４Ａ及び裏表紙４Ｂには、第１の綴じ部材２Ａ（２Ａ１〜２Ａ１２）及び第２の綴じ部材２Ｂ（２Ｂ１〜２Ｂ１２）の各基端部２ＡＢ、２ＢＢを長手方向で２個分並列して挿入可能に形成された略矩形状の挿入孔４Ａ１〜４Ａ１２、４Ｂ１〜４Ｂ１２を備えている。
【００４４】
そのため、背表紙４Ｃの長手方向を縦にした状態で、複数個のファイル２０を隣同士重ね合わせて書棚等に収納するとき、当該ファイル２０の第１の綴じ部材２Ａの基端部２ＡＢと隣接するファイル２０の第２の綴じ部材２Ｂの基端部２ＢＢとを、２個ずつセットで同一の挿入孔４Ａ１〜４Ａ１２、４Ｂ１〜４Ｂ１２に挿入させることができる。このとき、図１５に示すように、ベース部材１の幅寸法によって規制されない限り、綴じ具１０に保持された所定量（厚さ）の紙葉類ＳＰに第１の綴じ部材２Ａの基端部２ＡＢと第２の綴じ部材２Ｂの基端部２ＢＢとが先に直接的に当接するまで、綴じ具１０同士を幅方向に近接させることができる。
【００４５】
また、前述したように、第１の綴じ部材２Ａ及び第２の綴じ部材２Ｂは、長手方向の中央側におけるピッチＰ２が長手方向の前端側及び後端側におけるピッチＰ１より広くなるように形成され、かつ、長手方向の前後で中心線ＣＴに対して略対称に形成されている。また、上記ピッチＰ１は、図１３に示すように、例えば、一般に市販されているＡ４サイズのノート用紙に穿設される３０穴の綴じ孔ＷＨの孔ピッチの２倍に形成され、上記ピッチＰ２は、同３０穴の綴じ孔ＷＨの孔ピッチの３倍に形成されている。そのため、市販されているＡ４サイズのノート用紙をそのまま使用できるメリットがある。また、表表紙４Ａ及び裏表紙４Ｂに形成された各挿入孔４Ａ１〜４Ａ１２、４Ｂ１〜４Ｂ１２同士が、互いに繋がることはない。
【００４６】
また、背表紙４Ｃと表表紙４Ａと裏表紙４Ｂには、綴じ具１０の長手方向の前端部及び後端部を操作可能に形成された操作用切欠き部４Ｋを備えても良い。操作用切欠き部４Ｋは、ファイル２０の見開き状態で、人間の指が入る程度に略Ｕ字状又は略Ｖ字状に形成されていると良い。その場合、第１のベース部材１Ａの上段の板状体１Ａ１の端部と第２のベース部材１Ｂの下段の板状体１Ｂ２の端部とを把持して、上下方向へ離間させることによって、係合部１Ａ２２と切欠き部１Ｂ２２との係合状態を、簡単に解除させることができる。なお、第１のベース部材１Ａ及び第２のベース部材１Ｂの長手方向に対する前端部又は後端部に係合部１Ａ２２及び切欠き部１Ｂ２２が形成されている場合には、操作用切欠き部４Ｋは、その係合部１Ａ２２及び切欠き部１Ｂ２２が形成された前端部又は後端部に対応するように形成すれば足りる。
【００４７】
また、ベース部材１（１Ｂ）には、背表紙４Ｃに穿設した係止孔と係合可能に形成された鍔付き係止部１Ｂ４を備えている。鍔付き係止部１Ｂ４は、第２のベース部材１Ｂの下面から下方に突出する基部１Ｂ４１と、基部１Ｂ４１の前後に延出する鍔部１Ｂ４２とからなり、鍔部１Ｂ４２と第２のベース部材１Ｂとの間に形成される隙間に、背表紙４Ｃに穿設した係止孔を長手方向に移動させて挿入する。鍔部１Ｂ４２は、平坦且つ薄く形成され、背表紙４Ｃからの突出量を減らすように形成されている。
【００４８】
また、本ファイル２０では、綴じ部材２（２Ａ、２Ｂ）の基端部２ＡＢ、２ＢＢにおける内面２ＡＢＱ、２ＢＢＱが、ベース部材１（１Ａ、１Ｂ）の幅方向外端面より所定の突出距離ＴＲだけ外方に位置するように形成されている。そのため、図１６に示すように、綴じ部材２（２Ａ、２Ｂ）に保持する紙葉類ＳＰの厚さが上記突出距離ＴＲと同程度又はそれ以内であれば、紙葉類ＳＰを平坦な状態で裏表紙４Ｂ又は表表紙４Ａと一緒に１８０°反転させることができる。更に、１８０°反転させた紙葉類ＳＰを、綴じ部材２（２Ａ、２Ｂ）に保持した状態で３６０°反転させることもできる。この場合、ファイル２０の閉塞状態における大きさのままで、１８０°又は３６０°反転させた平坦な紙葉類ＳＰ上に、必要な文字や絵を記載することが容易となる。これによって、例えば、紙葉類ＳＰの平面サイズが大きく、紙厚が厚いスケッチブック等に対する利便性が大幅に向上する。
【００４９】
＜作用効果＞
以上、詳細に説明したように、本発明の一態様の実施形態に係る綴じ具１０によれば、幅方向で対向する位置にある先端部２ＡＳ、２ＢＳ同士が当接して綴じ位置にあるとき、当該先端部２ＡＳ、２ＢＳと一体的に形成された基端部２ＡＢ、２ＢＢ同士が、長手方向において少なくとも当該基端部の厚さＴＨ分だけ互いに位置ずれして形成されているので、綴じ具１０を幅方向に近接させるとき、ベース部材１（１Ａ、１Ｂ）に幅方向に突出した第１の綴じ部材２Ａの基端部２ＡＢと第２の綴じ部材２Ｂの基端部２ＢＢとが互いに干渉するのを回避することができる。
【００５０】
その結果、ベース部材１の幅寸法によって規制されない限り、綴じ具１０に保持された所定量（厚さ）の紙葉類ＳＰに第１の綴じ部材２Ａの基端部２ＡＢと第２の綴じ部材２Ｂの基端部２ＢＢとが先に直接的に当接するまで、綴じ具１０を幅方向に近接させることができる。よって、綴じ具１０を背表紙４Ｃに装着させ、背表紙４Ｃの長手方向を縦にした状態で、複数個のファイル２０を隣同士重ね合わせて書棚等に収納するとき、そのファイル収納数を増加できるとともに、綴じ位置で幅方向にコンパクトな綴じ具を提供することができる。
【００５１】
また、本実施形態によれば、幅方向で対向する位置にある第１の綴じ部材２Ａの先端部２ＡＳと第２の綴じ部材２Ｂの先端部２ＢＳとが、綴じ位置で長手方向に対して所定の角度で傾斜した状態で連結されているので、第１の綴じ部材２Ａ及び第２の綴じ部材２Ｂの基端部同士２ＡＢ、２ＢＢの長手方向の位置ずれを、先端部２ＡＳ、２ＢＳによって第１の綴じ部材２Ａ及び第２の綴じ部材２Ｂのピッチを略一定に維持しながら滑らかに連結でき、保持する紙葉類の変形等を防止できる。その結果、保持する紙葉類ＳＰの変形等を容易に防止しつつ、綴じ位置で幅方向にコンパクトな綴じ具１０を提供することができる。
【００５２】
また、本実施形態によれば、幅方向で対向する位置にある第１の綴じ部材２Ａの先端部２ＡＳ及び第２の綴じ部材２Ｂの先端部２ＢＳは、それぞれ幅方向へ先細り状に延びるように形成され、先細り状に形成された先端部２ＡＳ、２ＢＳには、長手方向に対して直交する当接面ＴＳが形成されているので、先端部２ＡＳ、２ＢＳ同士が綴じ位置にあるとき、当接面ＴＳには、幅方向にラップする範囲を広く形成することができる。その結果、綴じ位置で幅方向にコンパクトに形成され、幅方向に撓みやすい綴じ具１０であっても、幅方向にラップする範囲を広く形成することができる当接面ＴＳによって、保持する紙葉類ＳＰの脱落を防止しやすくすることができる。
【００５３】
また、本実施形態によれば、ベース部材１は、第１の綴じ部材２Ａが形成された第１のベース部材１Ａと、第２の綴じ部材２Ｂが形成された第２のベース部材１Ｂとからなり、第１のベース部材１Ａと第２のベース部材１Ｂとが、綴じ位置で長手方向と直交する上下方向で互いに重なり合うように形成されているので、第１のベース部材１Ａ及び第２のベース部材１Ｂにおける強度を確保すべく、それぞれの幅寸法を大きく形成しながら、綴じ位置でのベース部材１の幅寸法を上下方向で互いに重なり合う分だけ減少でき、綴じ位置でのベース部材１を幅方向により一層コンパクト化させることができる。また、第１のベース部材１Ａと第２のベース部材１Ｂとが、綴じ位置で長手方向と直交する上下方向で互いに重なり合うことによって、第１のベース部材１Ａ及び第２のベース部材１Ｂの上下方向への撓みを軽減させることもできる。その結果、第１のベース部材１Ａ及び第２のベース部材１Ｂの綴じ位置における必要な強度を確保しながら、綴じ位置で幅方向により一層コンパクトな綴じ具を提供することができる。
【００５４】
また、本実施形態によれば、第１のベース部材１Ａ及び第２のベース部材１Ｂには、長手方向における中間部と前端部及び後端部とで上下に重なり合う箇所において、上下方向に突出する係合部１Ａ２１、１Ｂ２１、１Ａ２２が形成されているので、係合部１Ａ２１、１Ｂ２１、１Ａ２２を幅方向へ突出させることなく、長手方向に延びる第１のベース部材１Ａ及び第２のベース部材１Ｂ同士を綴じ位置で確実に係止させることができる。その結果、第１のベース部材１Ａ及び第２のベース部材１Ｂの綴じ位置における係止状態を確実に実現しつつ、綴じ位置で幅方向により一層コンパクトな綴じ具１０を提供することができる。
【００５５】
また、本実施形態によれば、第１のベース部材１Ａと第２のベース部材１Ｂとが、複数のリンクアーム部材３（３Ａ、３Ｂ）を介して幅方向へ移動可能に連結されているので、綴じ位置において第１のベース部材１Ａ及び第２のベース部材１Ｂとリンクアーム部材３とを長手方向で略平行に配置できる。また、第１のベース部材１Ａと第２のベース部材１Ｂとを綴じ位置と開放位置との間で幅方向へ移動させるとき、第１のベース部材１Ａと第２のベース部材１Ｂとリンクアーム部材３には、リンクアーム部材３を支持する回転軸部３１、３４に回転摩擦力が作用するだけであって、第１のベース部材１Ａ及び第２のベース部材１Ｂとリンクアーム部材３の構造を簡素化させることができる。その結果、綴じ具１０の幅寸法をより一層コンパクトにできる。また、第１のベース部材１Ａと第２のベース部材１Ｂとを、リンクアーム部材３（３Ａ、３Ｂ）を介して幅方向へ移動させるので、綴じ部材の開放位置における隙間を広く確保することができ、従来のベース部材２０１内に配置された回転軸２０５を中心に回転する可動側綴じ部材２０２（図１９を参照）のように、開放位置での隙間が狭く、紙葉類の引っ掛かりが生じるような問題も解決できる。
【００５６】
また、本実施形態によれば、第１のベース部材１Ａと第２のベース部材１Ｂとが、長手方向に延びる複数の板状体１Ａ１、１Ａ２、１Ｂ１、１Ｂ２が上下方向で隙間部１Ａ３、１Ｂ３を有しつつ積層された多層構造体に形成され、綴じ位置では、リンクアーム部材３（３Ａ、３Ｂ）が、隙間部１Ａ３、１Ｂ３に収納可能に形成されているので、綴じ位置においては、リンクアーム部材３（３Ａ、３Ｂ）の幅寸法が綴じ具１０の幅寸法に与える影響を無視することができる。その結果、綴じ位置での綴じ具１０の幅寸法をより一層コンパクトにできる。
【００５７】
また、本実施形態によれば、リンクアーム部材３（３Ａ、３Ｂ）は、綴じ位置にて、第１のベース部材１Ａによる隙間部１Ａ３に収納される第１のアーム体３２と第２のベース部材１Ｂによる隙間部１Ｂ３に収納される第２のアーム体３３とが、リンク中間部３５で階段状に連結されているので、第１のベース部材１Ａにおけるリンクアーム部材３を収納する隙間部１Ａ３の長手方向寸法と、第２のベース部材１Ｂにおけるリンクアーム部材３を収納する隙間部１Ｂ３の長手方向寸法とを、それぞれ同程度に小さくでき、当該隙間部１Ａ３、１Ｂ３による第１のベース部材１Ａ及び第２のベース部材１Ｂの強度低下をバランスよく防止することができる。その結果、リンクアーム部材３を収納することによるベース部材１の強度低下を防止しつつ、綴じ具１０の幅寸法をより一層コンパクトにできる。
【００５８】
また、本発明の他の態様の実施形態に係るファイル２０によれば、表表紙４Ａ及び裏表紙４Ｂには、第１の綴じ部材２Ａ及び第２の綴じ部材２Ｂの基端部２ＡＢ、２ＢＢを長手方向で２個分並列して挿入可能に形成された挿入孔４Ａ１〜４Ａ１２、４Ｂ１〜４Ｂ１２を備えたので、背表紙４Ｃの長手方向を縦にした状態で、複数個のファイル２０を隣同士重ね合わせて書棚等に収納するとき、当該ファイル２０の第１の綴じ部材２Ａの基端部２ＡＢと隣接するファイル２０の第２の綴じ部材２Ｂの基端部２ＢＢとを、２個ずつセットで同一の挿入孔４Ａ１〜４Ａ１２、４Ｂ１〜４Ｂ１２に挿入させることができる。そのため、ベース部材１の幅寸法によって規制されない限り、綴じ具１０に保持された所定量（厚さ）の紙葉類ＳＰに第１の綴じ部材２Ａの基端部２ＡＢと第２の綴じ部材２Ｂの基端部２ＢＢとが先に直接的に当接する位置まで、綴じ具１０を幅方向に近接させることができる。
【００５９】
その結果、綴じ具１０に紙葉類を保持させ、背表紙４Ｃの長手方向を縦にした状態で、複数個のファイル２０を隣同士重ね合わせて書棚等に収納するとき、幅方向に突出した第１の綴じ部材２Ａの基端部２ＡＢと第２の綴じ部材２Ｂの基端部２ＢＢとが表表紙４Ａ及び裏表紙４Ｂに邪魔されず、複数個のファイル２０を隣同士重ね合わせて書棚等に収納する際のファイル収納数を増加できるファイル２０を提供することができる。
【００６０】
また、本他の態様の実施形態によれば、背表紙４Ｃと表表紙４Ａと裏表紙４Ｂには、綴じ具１０の長手方向の前端部及び後端部を操作可能に形成された操作用切欠き部４Ｋを備えたので、第１のベース部材１Ａの上段の板状体１Ａ１の端部と第２のベース部材１Ｂの下段の板状体１Ｂ２の端部とを把持して、上下方向へ離間させることによって、係合部１Ａ２２と切欠き部１Ｂ２２との係合状態を、簡単に解除させることができる。その結果、幅方向にコンパクトな綴じ具１０を備えたファイル２０においても、操作性の容易なファイルを提供することができる。
【００６１】
また、本他の態様の実施形態によれば、ベース部材１（１Ｂ）には、背表紙４Ｃに穿設した係止孔と係合可能に形成された鍔付き係止部１Ｂ４を備えたので、背表紙４Ｃをベース部材１に固定する別手段（例えば、リベットやねじ等）が不要となる。その結果、ベース部材１（１Ｂ）をより一層コンパクトに形成でき、複数個のファイル２０を隣同士重ね合わせて書棚等に収納する際のファイル収納数をより一層増加できるファイル２０を提供することができる。
【００６２】
また、本他の態様の実施形態によれば、第１の綴じ部材２Ａ及び第２の綴じ部材２Ｂは、長手方向の中央側におけるピッチＰ２が長手方向の前端側及び後端側におけるピッチＰ１より広くなるように形成され、かつ、長手方向の前後で対称に形成されているので、本ファイル２０の綴じ具１０に保持する紙葉類ＳＰを外す際、ベース部材１（１Ａ、１Ｂ）の長手方向における前端側又は後端側から外す傾向にあるので、紙葉類ＳＰの綴じ孔ＷＨを介して第１の綴じ部材２Ａ及び第２の綴じ部材２Ｂに作用する外力は、ベース部材１（１Ａ、１Ｂ）の前端側又は後端側に作用しやすく、ベース部材１（１Ａ、１Ｂ）の中央側には作用しにくい傾向にある。そのため、強度が必要な中央側のベース部材１（１Ａ、１Ｂ）を簡素化でき、ベース部材１（１Ａ、１Ｂ）全体をより一層幅方向でコンパクトにできる。その結果、複数個のファイル２０を隣同士重ね合わせて書棚等に収納する際のファイル収納数をより一層増加できるファイル２０を提供することができる。
【００６３】
また、第１の綴じ部材２Ａ及び第２の綴じ部材２Ｂは、長手方向の中央側におけるピッチＰ２が長手方向の前端側及び後端側におけるピッチＰ１より広くなるように形成され、かつ、長手方向の前後で対称に形成されているので、本ファイル２０の綴じ具１０に保持する紙葉類ＳＰに形成する綴じ孔ＷＨの数量を減少でき、当該紙葉類ＳＰを印刷する時の紙詰りを回避しやすくさせることができる。また、印刷された紙葉類ＳＰに穿設する綴じ孔ＷＨの数量も減少でき、綴じ孔加工設備の簡素化を図ることができる。また、紙葉類ＳＰの紙厚が薄い場合でも、綴じ孔ＷＨ周辺で折れ曲がり等の変形が生じにくい効果も奏することができる。
【００６４】
また、第１の綴じ部材２Ａ及び第２の綴じ部材２ＢにおけるピッチＰ１は、例えば、一般に市販されているＡ４サイズのノート用紙に穿設される３０穴の綴じ孔ＷＨの孔ピッチの２倍に形成され、ピッチＰ２は、同３０穴の綴じ孔ＷＨの孔ピッチの３倍に形成されている場合、ノート用紙を上下又は裏表反転して綴じることもできる。
【００６５】
上述した実施形態は、本発明の要旨を変更しない範囲で変更することができる。例えば、上記実施形態の綴じ具１０では、複数（ここでは、２個）のリンクアーム部材３（３Ａ、３Ｂ）の腕の長さは、略同一に形成され、第１のベース部材１Ａと第２のベース部材１Ｂとが、複数（ここでは、２個）のリンクアーム部材３（３Ａ、３Ｂ）を介して幅方向へ平行移動可能に連結されているが、連結手段は、これに限ることはない。例えば、綴じ具の長手方向でリンクアーム部材の腕の長さを相違させることもできる。また、リンクアーム部材を介せず、例えば、第１のベース部材１Ａと第２のベース部材１Ｂとを、長手方向の前端部又は後端部で連結ピンによって連結し、両者を連結ピンを中心に幅方向へ回動移動させてもよい。
【００６６】
また、本実施形態では、第１のベース部材１Ａと第２のベース部材１Ｂとが、それぞれ長手方向に延びる２個の板状体１Ａ１、１Ａ２、１Ｂ１、１Ｂ２が上下方向で隙間部１Ａ３、１Ｂ３を有しつつ積層された２層構造体に形成されたが、積層構造は、これに限ることはない。例えば、第１のベース部材１Ａを長手方向に延びる３個の板状体とし、第２のベース部材１Ｂを長手方向に延びる２個の板状体として、上下方向で隙間部を有しつつ積層された３層構造体と２層構造体とを形成することもできる。この場合、リンクアーム部材３を、階段状に連結させずに、フラットな形状とすることができる。
【００６７】
また、本他の態様の実施形態では、本ファイル２０は、綴じ具１０と、当該綴じ具１０を長手方向に装着する背表紙４Ｃと、当該背表紙４Ｃを介して連続する表表紙４Ａと裏表紙４Ｂとを備えているが、必ずしも、背表紙を備えている必要はない。例えば、表表紙４Ａと裏表紙４Ｂとを２枚に分離して形成し、それぞれ綴じ具１０の第１の綴じ部材２Ａ（２Ａ１〜２Ａ５、２Ａ８〜２Ａ１２）及び第２の綴じ部材２Ｂ（２Ｂ１〜２Ｂ５、２Ｂ８〜２Ｂ１２）に表表紙４Ａ及び裏表紙４Ｂに形成した挿入孔４Ａ１〜４Ａ１２、４Ｂ１〜４Ｂ１２を介して係止する構造でも良い。この場合、通常、背表紙に貼着するラベルは、ベース部材１（１Ｂ）の下面に貼着することができる。
【産業上の利用可能性】
【００６８】
本発明は、紙葉類を見開き状態で保持し得る綴じ具、及び当該綴じ具を備えたファイルとして利用できる。
【符号の説明】
【００６９】
１Ａ、１            第１のベース部材（ベース部材）
１Ｂ、１            第２のベース部材（ベース部材）
１Ａ１、１Ａ２      板状体
１Ｂ１、１Ｂ２      板状体
１Ａ２１、１Ａ２２  係合部
１Ｂ２１            係合部
１Ａ３、１Ｂ３      隙間部
１Ｂ４              鍔付き係止部
２Ａ、２            第１の綴じ部材（綴じ部材）
２Ｂ、２            第２の綴じ部材（綴じ部材）
２ＡＢ、２ＢＢ      基端部
２ＡＳ、２ＢＳ      先端部
３Ａ、３Ｂ、３      リンクアーム部材
３１、３４          回転軸部
３２                第１のアーム体
３３                第２のアーム体
３５                リンク中間部
４Ａ                表表紙
４Ｂ                裏表紙
４Ｃ                背表紙
４Ａ１〜４Ａ１２    挿入孔
４Ｂ１〜４Ｂ１２    挿入孔
４Ｋ                操作用切欠き部
ＴＨ                厚さ
ＴＳ                当接面
【図１】
2017042952.tif 000003
【図２】
2017042952.tif 000004
【図３】
2017042952.tif 000005
【図４】
2017042952.tif 000006
【図５】
2017042952.tif 000007
【図６】
2017042952.tif 000008
【図７】
2017042952.tif 000009
【図８】
2017042952.tif 000010
【図９】
2017042952.tif 000011
【図１０】
2017042952.tif 000012
【図１１】
2017042952.tif 000013
【図１２】
2017042952.tif 000014
【図１３】
2017042952.tif 000015
【図１４】
2017042952.tif 000016
【図１５】
2017042952.tif 000017
【図１６】
2017042952.tif 000018
【図１７】
2017042952.tif 000019
【図１８】
2017042952.tif 000020
【図１９】
2017042952.tif 000021
【図２０】
2017042952.tif 000022
【図２１】
2017042952.tif 000023
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
長手方向に延びるベース部材と、当該ベース部材に幅方向外方へ突出して形成された基端部と当該基端部と一体的に形成され幅方向内方へ湾曲して形成された先端部とを有し、幅方向で対向する位置にある前記先端部同士が互いに当接する綴じ位置と所定距離だけ離間する開放位置との間を移動可能に形成された複数の第１の綴じ部材と第２の綴じ部材とを備えた紙葉類の綴じ具であって、
幅方向で対向する位置にある前記先端部同士が当接して前記綴じ位置にあるとき、当該先端部と一体的に形成された前記基端部同士が、長手方向において少なくとも当該基端部の厚さ分だけ互いに位置ずれして形成されていることを特徴とする綴じ具。
【請求項２】
請求項１に記載された綴じ具において、
幅方向で対向する位置にある前記第１の綴じ部材の先端部と前記第２の綴じ部材の先端部とが、前記綴じ位置で長手方向に対して所定の角度で傾斜した状態で連結されていることを特徴とする綴じ具。
【請求項３】
請求項２に記載された綴じ具において、
幅方向で対向する位置にある前記第１の綴じ部材の先端部及び前記第２の綴じ部材の先端部は、それぞれ幅方向へ先細り状に延びるように形成され、先細り状に形成された前記両先端部には、長手方向に対して直交する当接面ＴＳが形成されていることを特徴とする綴じ具。
【請求項４】
請求項１乃至請求項３のいずれか１項に記載された綴じ具において、
前記ベース部材は、前記第１の綴じ部材が形成された第１のベース部材と、前記第２の綴じ部材が形成された第２のベース部材とからなり、前記第１のベース部材と前記第２のベース部材とが、前記綴じ位置で長手方向と直交する上下方向で互いに重なり合うように形成されていることを特徴とする綴じ具。
【請求項５】
請求項４に記載された綴じ具において、
前記第１のベース部材及び前記第２のベース部材には、長手方向における中間部と前端部及び／又は後端部とで上下に重なり合う箇所において上下方向に突出する係合部が形成されていることを特徴とする綴じ具。
【請求項６】
請求項４又は請求項５に記載された綴じ具において、
前記第１のベース部材と前記第２のベース部材とが、複数のリンクアーム部材を介して幅方向へ移動可能に連結されていることを特徴とする綴じ具。
【請求項７】
請求項６に記載された綴じ具において、
前記第１のベース部材と前記第２のベース部材とが、長手方向に延びる複数の板状体が上下方向で隙間部を有しつつ積層された多層構造体に形成され、前記綴じ位置では、前記リンクアーム部材が、前記隙間部に収納可能に形成されていることを特徴とする綴じ具。
【請求項８】
請求項７に記載された綴じ具において、
前記リンクアーム部材は、前記綴じ位置にて、前記第１のベース部材による前記隙間部に収納される第１のアーム体と前記第２のベース部材による前記隙間部に収納される第２のアーム体とが、リンク中間部で階段状に連結されていることを特徴とする綴じ具。
【請求項９】
請求項１乃至請求項８のいずれか１項に記載された綴じ具と表表紙と裏表紙とを備えたファイルであって、
前記表表紙及び前記裏表紙には、前記第１の綴じ部材及び前記第２の綴じ部材の前記基端部を長手方向で２個分並列して挿入可能に形成された挿入孔を備えたことを特徴とするファイル。
【請求項１０】
請求項９に記載されたファイルにおいて、
前記表表紙と前記裏表紙には、前記綴じ具の長手方向の前端部及び／又は後端部を操作可能に形成された操作用切欠き部を備えたことを特徴とするファイル。
【請求項１１】
請求項９又は請求項１０に記載されたファイルにおいて、
前記表表紙と前記裏表紙とを連続させる背表紙を備え、前記ベース部材には、前記背表紙に穿設した係止孔と係合可能に形成された鍔付き係止部を備えたことを特徴とするファイル。
【請求項１２】
請求項９乃至請求項１１のいずれか１項に記載されたファイルにおいて、
前記第１の綴じ部材及び前記第２の綴じ部材は、長手方向の中央側におけるピッチが長手方向の前端側及び後端側におけるピッチより広くなるように形成され、かつ、長手方向の前後で対称に形成されていることを特徴とするファイル。
【国際調査報告】
2017042952.tif 000024
2017042952.tif 000025